(57)【特許請求の範囲】
【請求項１】
複数の基地局装置のセルを集約して無線通信を行う移動局装置であって、
前記セルは、プライマリセルを含む第１のセルグループと、プライマリセルを含まない１つ以上の第２のセルグループとの何れか１つのセルグループにグループ化され、
前記基地局装置から通知される無線リソース制御接続再設定メッセージに、前記第２のセルグループに対する設定が含まれる場合に、前記第２のセルグループに対する設定に含まれる情報に基づいて、ランダムアクセス手順を第２のセルグループのセルにおいて行うことによって前記第２のセルグループに対して調整される送信タイミングを再設定するか否かを設定する
ことを特徴とする移動局装置。
【請求項２】
複数の基地局装置のセルを集約して移動局装置と無線通信を行う基地局装置であって、
前記セルは、プライマリセルを含む第１のセルグループと、プライマリセルを含まない１つ以上の第２のセルグループとの何れか１つのセルグループにグループ化され、
前記移動局装置に通知する無線リソース制御接続再設定メッセージに、前記第２のセルグループに対する設定を含ませ、前記第２のセルグループに対する設定に含まれる情報によって、ランダムアクセス手順を第２のセルグループのセルにおいて行うことによって前記第２のセルグループに対して調整される送信タイミングを再設定するか否かを前記移動局装置に設定する
ことを特徴とする基地局装置。
【請求項３】
複数の基地局装置のセルを集約して無線通信を行う移動局装置の同期状態管理方法であって、
前記セルは、プライマリセルを含む第１のセルグループと、プライマリセルを含まない１つ以上の第２のセルグループとの何れか１つのセルグループにグループ化され、
前記基地局装置から通知される無線リソース制御接続再設定メッセージに、前記第２のセルグループに対する設定が含まれる場合に、前記第２のセルグループに対する設定に含まれる情報に基づいて、ランダムアクセス手順を第２のセルグループのセルにおいて行うことによって前記第２のセルグループに対して調整される送信タイミングを再設定するか否かを設定するステップを備えることを特徴とする同期状態管理方法。
【請求項４】
複数の基地局装置のセルを集約して無線通信を行う移動局装置実装される集積回路であって、
前記セルは、プライマリセルを含む第１のセルグループと、プライマリセルを含まない１つ以上の第２のセルグループとの何れか１つのセルグループにグループ化され、
前記基地局装置から通知される無線リソース制御接続再設定メッセージに、前記第２のセルグループに対する設定が含まれる場合に、前記第２のセルグループに対する設定に含まれる情報に基づいて、ランダムアクセス手順を第２のセルグループのセルにおいて行うことによって前記第２のセルグループに対して調整される送信タイミングを再設定するか否かを設定する機能を前記端末装置に対して発揮させることを特徴とする集積回路。
【発明の詳細な説明】
【技術分野】
【０００１】
本発明は、通信システム、移動局装置、基地局装置、同期状態管理方法及び集積回路に関し、特に、移動局装置が複数のセルを用いて基地局装置と無線接続している場合の同期状態の管理方法に関する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｅｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降ＥＵＴＲＡと称する）が検討され、更にその発展形であるＡｄｖａｎｃｅｄ  ＥＵＴＲＡ（ＬＴＥ−Ａｄｖａｎｃｅｄとも称される）の検討が進められている。
【０００３】
Ａｄｖａｎｃｅｄ  ＥＵＴＲＡでは、ＥＵＴＲＡとの互換性を維持しつつ、より高速なデータ伝送が可能な技術として、キャリア・アグリゲーション（Ｃａｒｒｉｅｒ  Ａｇｇｒｅｇａｔｉｏｎ）が提案されている。キャリア・アグリゲーションとは、複数の異なる周波数帯域（キャリア周波数、コンポーネントキャリア（Ｃｏｍｐｏｎｅｎｔ  Ｃａｒｒｉｅｒ）とも称する）で送信された送信装置のデータを、異なる周波数帯域に対応する受信装置においてそれぞれ受信することで、データレートを向上させる技術である。なお、以後は下りリンク送信における受信装置のことを移動局装置、送信装置のことを基地局装置と記載し、上りリンク送信における受信装置のことを基地局装置、上りリンク送信における送信装置のことを移動局装置と記載するが、本発明の適用範囲はこれらの装置に限定する必要は無い。例えば、下りリンク送信における受信装置および上りリンク送信における送信装置がリレー局装置であってもよい。
【０００４】
Ａｄｖａｎｃｅｄ  ＥＵＴＲＡでは、１つの下りリンクのコンポーネントキャリアと１つの上りリンクのコンポーネントキャリアを組み合わせて１つのセルを構成する。なお、１つの下りリンクコンポーネントキャリアのみでも１つのセルを構成することができる。移動局装置は基地局装置からＲＲＣ層のシグナリングによりセルが割り当てられる（Ｃｏｎｆｉｇｕｒａｔｉｏｎされる）。また、移動局装置に割り当てられるセルには、無線送信が行えない不活性状態と無線送信を行える活性状態の２つの状態がある。移動局装置は、１つのプライマリセルと呼ばれるセルと０個以上のセカンダリセルと呼ばれるセルを用いて基地局装置と通信を行うが、プライマリセルは常に活性状態である。また、移動局装置に割り当てられるセカンダリセルは、ハンドオーバの際にはすべて不活性状態となり、ハンドオーバ後の基地局装置からの明示的な活性化のシグナリング（Ａｃｔｉｖａｔｉｏｎ  ｃｏｍｍａｎｄ）によって活性状態になる。
【０００５】
また、ＥＵＴＲＡの移動局装置は、基地局装置への初期接続時や、ハンドオーバ時、上りリンクの同期が外れている状態で上りリンクデータ送信あるいは下りリンクデータ受信を行う必要がある時に、ランダムアクセス手順と呼ばれる上りリンクの送信タイミング調整（上りリンクの同期確立）のための処理を行うが、Ａｄｖａｎｃｅｄ  ＥＵＴＲＡにおいて移動局装置に複数のセルが割り当てられた場合、プライマリセルにおけるランダムアクセス手順により、すべての活性状態のセルの上りリンクコンポーネントキャリアにおいて同一の送信タイミング調整が行われる。なお、上りリンクの送信タイミング調整が行われる（基地局装置からＴＡコマンドと呼ばれる送信タイミング調整のための信号を受信する）度に再始動（リスタート）されるタイマー（送信タイミングタイマーと称する）が用意されており、前記送信タイミングタイマーが再始動されずに既定時間を計時した場合（送信タイミングタイマーが満了した場合）あるいは他の要因により停止した場合、上りリンクの同期が外れたものとみなし、移動局装置はランダムアクセス手順以外の無線送信が行えない。（非特許文献１）
【０００６】
なお、３ＧＰＰが規定する第３世代の基地局装置はノードＢ（ＮｏｄｅＢ）と称され、ＥＵＴＲＡ及びＡｄｖａｎｃｅｄ  ＥＵＴＲＡにおける基地局装置はイーノードＢ（ｅＮｏｄｅＢ）と称される。基地局装置は移動局装置が通信可能なエリアであるセルを管理し、セルは移動局装置と通信可能なエリアの大きさに応じてフェムトセルやピコセル、ナノセルとも称される。また、移動局装置がある基地局装置と通信可能であるとき、その基地局装置のセルは移動局装置の在圏セルであり、その他の基地局装置、または異なる周波数のセルは周辺セルと称される。
【先行技術文献】
【非特許文献】
【０００７】
【非特許文献１】ＴＳ３６．３２１ｖ１０．１．０  ５．１．１，（ｈｔｔｐ：／／ｗｗｗ．３ｇｐｐ．ｏｒｇ／ｆｔｐ／Ｓｐｅｃｓ／ｈｔｍｌ−ｉｎｆｏ／３６３２１．ｈｔｍ）
【非特許文献２】ＴＳ３６．３００ｖ１０．３．０  １０．１．５，（ｈｔｔｐ：／／ｗｗｗ．３ｇｐｐ．ｏｒｇ／ｆｔｐ／Ｓｐｅｃｓ／ｈｔｍｌ−ｉｎｆｏ／３６３００．ｈｔｍ）
【発明の概要】
【発明が解決しようとする課題】
【０００８】
前述のように、現状のＡｄｖａｎｃｅｄ  ＥＵＴＲＡでは、ランダムアクセス手順はプライマリセルと呼ばれるセルでのみ処理され、上りリンクの送信タイミングは、移動局装置に割り当てられた複数のセルに対して単一の調整がなされている。さらに、ハンドオーバ後のセカンダリセルにおける上りリンク送信もプライマリセルと同一タイミングであるため、複雑な制御は必要ではなかった。
【０００９】
しかしながら、今後、一部の周波数のセルでの通信にリレー局装置やリピータ（Ｒｅｐｅａｔｅｒ）などの通信装置が介在するような場合、移動局装置での下りリンクコンポーネントキャリアからのデータの受信タイミングは、セル毎（あるいは１つ以上のセルを束ねたセルグループ毎）に異なり、更に各セルの上りリンクコンポーネントキャリア毎（あるいはセルグループの上りリンクコンポーネントキャリア毎）に基地局装置への送信タイミングが異なることとなる。あるいは上りリンクあるいは下りリンクのどちらか一方にのみ前記通信装置が介在するような場合にもそれぞれ送信タイミング、あるいは受信タイミングが異なる。そのため、移動局装置は、セルグループ毎に送信タイミング調整を行ない、同期状態を管理する必要がある。この場合、移動局装置は、ハンドオーバの際に複数の送信タイミングに関する複雑な制御（同期状態の管理）を行わなければならない。
【００１０】
上記の課題を鑑みて、本発明は、タイミングの異なる複数のセルグループが割り当てられた移動局装置で同期状態の管理を効率的に行うことができる無線通信システム、移動局装置、基地局装置、同期状態管理方法及び集積回路を提供することを目的とする。
【課題を解決するための手段】
【００１１】
（１）上記の目的を達成するために、本発明は、以下のような手段を講じた。すなわち、本願の通信システムは、基地局装置と移動局装置とが、異なる複数の周波数帯域のセルを集約して通信を行う通信システムであって、前記異なる複数の周波数帯域のセルは、送信タイミングが同一のセルを示すセルグループのいずれか一つにグループ化され、前記移動局装置は、前記基地局装置から設定された複数の前記セルグループ毎に送信タイミングの調整を行い、前記基地局装置は、前記移動局装置の複数の前記セルグループ毎のハンドオーバ前の送信タイミングをハンドオーバ後も適用するか否かを示す情報を通知し、前記移動局装置は、通知された前記情報に基づいて、セルグループ毎に調整された前記送信タイミングをハンドオーバ後に適用するか否かを設定することを特徴とする。
【００１２】
（２）また、本願の通信システムにおいて、前記情報は、ハンドオーバ後のセルの活性／不活性状態を前記セルグループ毎あるいはセルグループ内のセル毎に指定する情報であり、前記情報で活性状態を指定されたセルグループあるいは活性状態を指定されたセルのセルグループでは、ハンドオーバ前の送信タイミングをハンドオーバ後も適用することを特徴とする。
【００１３】
（３）また、本願の通信システムにおいて、前記情報は、ハンドオーバ後のランダムアクセス手順が必要か否かを前記セルグループ毎あるいはセルグループ内のセル毎に指定する情報であり、前記情報でランダムアクセス手順が不要とされたセルグループあるいはランダムアクセス手順が不要とされたセルのセルグループの送信タイミングをハンドオーバ後も適用することを特徴とする。
【００１４】
（４）また、本願の通信システムは、基地局装置と移動局装置とが、異なる複数の周波数帯域のセルを集約して通信を行なう通信システムであって、前記異なる複数の周波数帯域のセルは、送信タイミングが同一のセルを示すセルグループのいずれか一つにグループ化され、前記移動局装置は、前記基地局装置から設定された複数の前記セルグループ毎に送信タイミングの調整を行い、前記基地局装置は、前記移動局装置の送信タイミングをハンドオーバ後も適用するセルグループのセルのみを前記移動局装置に割り当て、前記移動局装置は、割り当てられた前記セルのセルグループの送信タイミングをハンドオーバ後も適用することを特徴とする。
【００１５】
（５）また、本願の通信システムにおいて、前記送信タイミングをハンドオーバ後も適用するセルの状態をハンドオーバ後も継続することを特徴とする。
【００１６】
（６）また、本願の移動局装置は、異なる複数の周波数帯域のセルを集約して基地局装置と通信を行う通信システムにおける移動局装置であって、前記異なる複数の周波数帯域のセルは、送信タイミングが同一のセルを示すセルグループのいずれか一つにグループ化され、前記移動局装置は、前記基地局装置から設定された複数の前記セルグループ毎に送信タイミングの調整を行い、前記基地局装置から通知される、前記セルグループ毎にハンドオーバ前の送信タイミングをハンドオーバ後も適用するか否かを示す情報に基づいて、セルグループ毎に調整された前記送信タイミングをハンドオーバ後に適用するか否かを設定することを特徴とする。
【００１７】
（７）また、本願の移動局装置は、異なる複数の周波数帯域のセルを集約して基地局装置と通信を行う通信システムにおける移動局装置であって、前記異なる複数の周波数帯域のセルは、送信タイミングが同一のセルを示すセルグループのいずれか一つにグループ化され、前記移動局装置は、前記基地局装置から設定された複数の前記セルグループ毎に送信タイミングの調整を行い、ハンドオーバ時に割り当てられたセルのセルグループの送信タイミングをハンドオーバ後も適用することを特徴とする。
【００１８】
（８）また、本願の基地局装置は、異なる複数の周波数帯域のセルを集約して移動局装置と通信を行う通信システムにおける基地局装置であって、前記異なる複数の周波数帯域のセルは、送信タイミングが同一のセルを示すセルグループのいずれか一つにグループ化され、前記基地局装置は、前記移動局装置の複数の前記セルグループ毎のハンドオーバ前の送信タイミングをハンドオーバ後も適用するか否かを示す情報を通知することを特徴とする。
【００１９】
（９）また、本願の基地局装置は、異なる複数の周波数帯域のセルを集約して移動局装置と通信を行う通信システムにおける基地局装置であって、前記異なる複数の周波数帯域のセルは、送信タイミングが同一のセルを示すセルグループのいずれか一つにグループ化され、前記基地局装置は、前記移動局装置の送信タイミングをハンドオーバ後も適用するセルグループのセルのみを前記移動局装置に割り当てることを特徴とする。
【００２０】
（１０）また、本願の同期状態管理方法は、異なる複数の周波数帯域のセルを集約して基地局装置と通信を行う通信システムにおける移動局装置の同期状態管理方法であって、前記異なる複数の周波数帯域のセルは、送信タイミングが同一のセルを示すセルグループのいずれか一つにグループ化され、前記移動局装置は、前記基地局装置から設定された複数の前記セルグループ毎に送信タイミングの調整を行うステップと、前記基地局装置から、前記セルグループ毎にハンドオーバ前の送信タイミングをハンドオーバ後も適用するか否かを示す情報を通知され、前記情報を保持するステップと、前記ハンドオーバ前の送信タイミングをハンドオーバ後も適用するセルグループに対して、ハンドオーバ後に、ハンドオーバ前の送信タイミングを適用するステップとを備えることを特徴とする。
【００２１】
（１１）また、本願の同期状態管理方法は、異なる複数の周波数帯域のセルを集約して基地局装置と通信を行う通信システムにおける移動局装置の同期状態管理方法であって、前記異なる複数の周波数帯域のセルは、送信タイミングが同一のセルを示すセルグループのいずれか一つにグループ化され、前記移動局装置は、前記基地局装置から設定された複数の前記セルグループ毎に送信タイミングの調整を行うステップと、ハンドオーバ時に割り当てられたセルのセルグループの送信タイミングをハンドオーバ後も適用するステップとを備えることを特徴とする。
【００２２】
（１２）また、本願の集積回路は、異なる複数の周波数帯域のセルを集約して基地局装置と通信を行う通信システムにおける移動局装置の集積回路であって、前記異なる複数の周波数帯域のセルは、送信タイミングが同一のセルを示すセルグループのいずれか一つにグループ化され、前記集積回路は、前記基地局装置から設定された複数の前記セルグループ毎に送信タイミングの調整を行う機能と、前記基地局装置から通知される、前記セルグループ毎にハンドオーバ前の送信タイミングをハンドオーバ後も適用するか否かを示す情報に基づいて、セルグループ毎に調整された送信タイミングをハンドオーバ後に適用するか否かを設定する機能を備えることを特徴とする。
【００２３】
（１３）また、本願の集積回路は、異なる複数の周波数帯域のセルを集約して基地局装置と通信を行う通信システムにおける移動局装置の集積回路であって、前記異なる複数の周波数帯域のセルは、送信タイミングが同一のセルを示すセルグループのいずれか一つにグループ化され、前記集積回路は、前記基地局装置から設定された複数の前記セルグループ毎に送信タイミングの調整を行う機能と、ハンドオーバ時に割り当てられたセルのセルグループの送信タイミングをハンドオーバ後も適用する機能とを備えることを特徴とする。
【発明の効果】
【００２４】
以上説明したように、本発明によれば、タイミングの異なる複数のセルグループが割り当てられた移動局装置で同期状態の管理を効率的に行うことができる無線通信システム、移動局装置、基地局装置、同期状態管理方法及び集積回路を提供することができる。
【図面の簡単な説明】
【００２５】
【図１】本発明の実施形態に係る移動局装置１の一例を示したブロック図である。
【図２】本発明の実施形態に係る基地局装置２の一例を示したブロック図である。
【図３】本発明の実施形態１におけるハンドオーバ手順について説明するための図である。
【図４】本発明の実施形態２におけるハンドオーバ手順について説明するための図である。
【図５】本発明の実施形態３におけるハンドオーバ手順について説明するための図である。
【図６】本発明の実施形態に係る通信ネットワーク構成の一例を示す図である。
【図７】本発明の実施形態に係る無線通信構成の一例を示す図である。
【図８】従来のＡｄｖａｎｃｅｄ−ＥＵＴＲＡにおける非競合ベースランダムアクセス手順を示した図である。
【発明を実施するための形態】
【００２６】
本発明の実施形態を説明する前に、本発明に関する物理チャネルとキャリア・アグリゲーション、ランダムアクセス手順について説明する。
【００２７】
（１）物理チャネル
ＥＵＴＲＡ及びＡｄｖａｎｃｅｄ  ＥＵＴＲＡで使用される物理チャネル（または物理シグナル）について説明を行なう。物理チャネルは、基地局装置から移動局装置へ送信される下りリンクにおける下りリンクチャネルと、移動局装置から基地局装置へ送信される上りリンクにおける上りリンクチャネルとが存在する。物理チャネルは、ＥＵＴＲＡ、及びＡｄｖａｎｃｅｄ  ＥＵＴＲＡにおいて、今後追加、または、その構造が変更される可能性もあるが、変更された場合でも本発明の各実施形態の説明には影響しない。
【００２８】
同期シグナル（Ｓｙｎｃｈｒｏｎｉｚａｔｉｏｎ  Ｓｉｇｎａｌｓ）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りの物理セル識別子（ＰＣＩ：Ｐｈｙｓｉｃａｌ  Ｃｅｌｌ  Ｉｄｅｎｔｉｆｙ）と、無線同期のためのフレームタイミングが示される。移動局装置は、セルサーチによって受信した同期シグナルの物理セルＩＤを特定する。
【００２９】
物理報知情報チャネル（ＰＢＣＨ：Ｐｈｙｓｉｃａｌ  Ｂｒｏａｄｃａｓｔ  Ｃｈａｎｎｅｌ）は、セル内の移動局装置で共通に用いられる制御パラメータ（報知情報（システム情報）：Ｓｙｓｔｅｍ  Ｉｎｆｏｒｍａｔｉｏｎ）を通知する目的で送信される。物理報知情報チャネルで通知されない報知情報は、下りリンク制御チャネルで無線リソースが通知され、下りリンク共用チャネルを用いてレイヤ３メッセージで送信される。報知情報として、セル個別の識別子を示すセルグローバル識別子（ＣＧＩ：Ｃｅｌｌ  Ｇｌｏｂａｌ  Ｉｄｅｎｔｉｆｉｅｒ）、ページングによる待ち受けエリアを管理するトラッキングエリア識別子（ＴＡＩ：Ｔｒａｃｋｉｎｇ  Ａｒｅａ  Ｉｄｅｎｔｉｆｉｅｒ）などが通知される。
【００３０】
下りリンクリファレンスシグナルは、セル毎に所定の電力で送信されるパイロットシグナルである。また、下りリンクリファレンスシグナルは、所定の規則に基づき周波数・時間位置で周期的に繰り返される既知の信号である。移動局装置は、下りリンクリファレンスシグナルを受信することでセル毎の受信品質を測定する。また、移動局装置は、下りリンクリファレンスシグナルと同時に送信される下りリンク制御チャネル、または下りリンク共用チャネルの復調のための参照用の信号としても下りリンクリファレンスシグナルを使用する。下りリンクリファレンスシグナルに使用される系列は、セル毎に識別可能な系列が用いられる。なお、下りリンクリファレンスシグナルはセル固有ＲＳ（Ｃｅｌｌ−ｓｐｅｃｉｆｉｃ  ｒｅｆｅｒｅｎｃｅ  ｓｉｇｎａｌｓ）と記載される場合もあるが、その用途と意味は同じである。
【００３１】
下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボルで送信され、移動局装置に対して基地局装置のスケジューリングに従った無線リソース割当て情報の通知や、送信電力増減の指示、ランダムアクセス手順開始の指示などの目的で使用される。移動局装置は、下りリンクデータや下りリンク制御データであるレイヤ３メッセージ（ページング、ハンドオーバコマンドなど）を送受信する前に自局宛の下りリンク制御チャネルを監視（モニタ）し、自局宛の下りリンク制御チャネルを受信することで、送信時には上りリンクグラント、受信時には下りリンクグラントと呼ばれる無線リソース割当て情報を取得する必要がある。
【００３２】
下りリンク共用チャネル（ＰＤＳＣＨ：Ｐｈｙｓｉｃａｌ  Ｄｏｗｎｌｉｎｋ  Ｓｈａｒｅｄ  Ｃｈａｎｎｅｌ）は、下りリンクデータの他、下りリンク制御データであるレイヤ３メッセージとしてページングや報知情報を通知するためにも使用される。下りリンクデータチャネルの無線リソース割当て情報は、下りリンク制御チャネルで示される。
【００３３】
上りリンク共用チャネル（ＰＵＳＣＨ：Ｐｈｙｓｉｃａｌ  Ｕｐｌｉｎｋ  Ｓｈａｒｅｄ  Ｃｈａｎｎｅｌ）は、主に上りリンクデータと上りリンク制御データを送信し、下りリンクの受信品質やＡＣＫ／ＮＡＣＫなどの制御データを含めることも可能である。また、下りリンクと同様に上りリンクデータチャネルの無線リソース割当て情報は、下りリンク制御チャネルで示される。
【００３４】
物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）は、プリアンブル系列を通知するために使用されるチャネルであり、ガードタイムを持つ。物理ランダムアクセスチャネルは、移動局装置の基地局装置へのアクセス手段として用いられる。移動局装置は、上りリンク制御チャネル未設定時の送信データのスケジューリング要求や、上りリンク送信タイミングを基地局装置の受信タイミングウィンドウに合わせるために必要な送信タイミング調整情報の要求に物理ランダムアクセスチャネルを用いる。送信タイミング調整情報（ＴＡコマンド）を受信した移動局装置は、送信タイミング調整情報の有効時間（送信タイミングタイマーの値）を設定し、有効時間中（送信タイミングタイマー計時中）は送信タイミング調整状態、有効期間外（送信タイミングタイマー満了時あるいは送信タイミングタイマー計時停止時）は、送信タイミング非調整状態として上りリンクの状態を管理する。基地局装置は、移動局装置に対して個別プリアンブル系列（Ｄｅｄｉｃａｔｅｄ  ｐｒｅａｍｂｌｅ）を割り当てて、ランダムアクセス手順を開始させることも可能である。なお、それ以外の物理チャネルは、本発明の各実施形態に関わらないため詳細な説明は省略する。
【００３５】
（２）キャリア・アグリゲーション
キャリア・アグリゲーションとは、複数の異なる周波数帯域のセル（コンポーネントキャリア）を集約（アグリゲーション）して一つの周波数帯域のように扱う技術である。例えば、キャリア・アグリゲーションによって周波数帯域幅が２０ＭＨｚのコンポーネントキャリアを５つ集約した場合、移動局装置は１００ＭＨｚの周波数帯域幅とみなしてアクセスすることが可能となる。なお、集約するコンポーネントキャリアは連続した周波数帯域であっても、全てまたは一部が不連続となる周波数帯域であってもよい。例えば、使用可能な周波数帯域が８００ＭＨｚ帯域、２．４ＧＨｚ帯域、３．４ＧＨｚ帯域である場合、ある一つのコンポーネントキャリアが８００ＭＨｚ帯域、別のコンポーネントキャリアが２ＧＨｚ帯域、さらに別のコンポーネントキャリアが３．４ＧＨｚ帯域で送信されていてもよい。
【００３６】
また、同一周波数帯域、例えば２．４ＧＨｚ帯域内の連続または不連続のコンポーネントキャリアを集約することも可能である。各コンポーネントキャリアの周波数帯域幅は２０ＭＨｚより狭い周波数帯域幅であっても良く、各々異なっていても良い。
【００３７】
また、１つの下りリンクのコンポーネントキャリアと１つの上りリンクのコンポーネントキャリアを組み合わせて１つのセルを構成する。尚、１つの下りリンクコンポーネントキャリアのみでも１つのセルを構成できる。基地局装置は、移動局装置の通信能力や通信条件にあった複数のセルを割り当て、割り当てた複数のセルを介して移動局装置と通信を行なうことができる。尚、移動局装置に割り当てられる複数のセルは、１つのセルをプライマリセルとし、それ以外のセルをセカンダリセルとしている。現状のＡｄｖａｎｃｅｄ  ＥＵＴＲＡでは、プライマリセルには、上りリンク制御チャネルＰＵＣＣＨを割り当てや、ランダムアクセスチャネルＲＡＣＨへのアクセス許可など特別な機能を設定している。
【００３８】
具体的なキャリア・アグリゲーションの動作として、基地局装置は移動局装置に対するコンポーネントキャリア（セカンダリセル）の追加やパラメータの修正、解放を移動局装置に通知することができる。前記通知には典型的にはレイヤ３メッセージ（無線リソース制御メッセージ；ＲＲＣメッセージ）が用いられる。例えば、基地局装置は移動局装置に対するコンポーネントキャリアの追加およびパラメータの修正を行う場合、セカンダリセル番号（ｓＣｅｌｌＩｎｄｅｘ）とそのセカンダリセル番号に対するパラメータとして、物理セル識別子やキャリア周波数情報、無線リソースに関するパラメータの設定情報などを移動局装置に通知し、通知された移動局装置は通知されたセカンダリセル番号のセカンダリセルが自局に既に設定されている場合は当該セカンダリセルのパラメータの修正とみなし、通知されたセカンダリセル番号が設定されていない場合はセカンダリセルの追加とみなす。また、セルの解放を行う場合、セカンダリセル番号が基地局装置から移動局装置に通知され、移動局装置は通知されたセカンダリセル番号のセカンダリセル情報を解放する。
【００３９】
また、移動局装置の消費電力低減およびリソース利用効率化のために、セルには活性状態（Ａｃｔｉｖａｔｅ状態）と不活性状態（Ｄｅａｃｔｉｖａｔｅ状態）の２つの状態が定義されている。割り当て直後（追加直後）のセカンダリセルは不活性状態であり、移動局装置は前記不活性状態のセカンダリセルでは下りリンクの受信処理を行わず（または、下りリンク制御チャネルで指示された無線リソース割り当て情報を無視し）、上りリンクの送信処理も行わない。移動局装置は、不活性状態にあるセカンダリセルに対して基地局装置から活性化（Ａｃｔｉｖａｔｅ）が指示されることで、当該セカンダリセルを活性状態として、前記活性状態のセカンダリセルに対する下りリンクの受信処理を開始し（または、下りリンク制御チャネルで指示された無線リソース割り当て情報に従って動作し）、さらに、上りリンクの同期状態が確立されていれば送信処理を行うことができる。また、移動局装置は、活性状態にあるセカンダリセルに対して基地局装置から不活性化（Ｄｅａｃｔｉｖａｔｅ）が指示されることで、当該セカンダリセルを不活性状態とする。なお、プライマリセルは常に活性状態である。
【００４０】
さらに、上りリンクコンポーネントキャリアで移動局装置が送信する際の送信電力調整には、下りリンクコンポーネントキャリアの受信品質（基地局装置から送信された無線信号の電力が移動局装置で受信されるまでに減衰した量を示すパスロス値など）が用いられる。プライマリセルの送信電力調整には、当該プライマリセルの下りリンクの受信品質が用いられる。一方、セカンダリセルの送信電力調整には、プライマリセルか当該セカンダリセルの下りリンクの受信品質のいずれか一方に基づく。セカンダリセルの送信電力調整のために、プライマリセルと当該セカンダリセルの何れの下りリンクの受信品質を利用するかは、報知情報あるいは移動局装置毎に個別のレイヤ３メッセージ（ＲＲＣメッセージ）によって、基地局装置から移動局装置へ通知される。
【００４１】
しかし、移動局装置が、複数のセルを使用して基地局装置と通信を行なう場合、リレー局装置やリピータ（Ｒｅｐｅａｔｅｒ）などを介して基地局装置へ接続する場合がある。このような場合、移動局装置での下りリンクコンポーネントキャリアの受信タイミングと、上りリンクコンポーネントキャリア毎の基地局装置への送信タイミングの両方または一方がセル毎（あるいは１つ以上のセルを束ねたセルグループ毎）に異なり、更に各セルの上りリンクコンポーネントキャリア毎（あるいはセルグループの上りリンクコンポーネントキャリア毎）に基地局装置への送信タイミングが異なることとなる。そのため、移動局装置は、セル（あるいはセルグループ）毎に送信タイミングや送信電力の調整を行ない、同期状態を管理する必要がある。また、前記セルグループは同一の送信タイミング調整情報（ＴＡコマンド）でタイミングを調整できるため、ＴＡグループと称してもよい。
【００４２】
[本発明の通信ネットワーク構成の例]
図６は、本発明の実施形態に係る通信ネットワーク構成の一例を示す図である。移動局装置１は、キャリア・アグリゲーションによって複数の周波数帯域（Ｂａｎｄ１〜４）を同時に用いて基地局装置２と無線接続することが可能な場合、通信ネットワーク構成としては、ある一つの基地局装置２が各周波数帯域に対応する送信器２１〜２４（及び図示しない受信器）を備えており、各周波数帯域の制御を一つの基地局装置２で行なう構成が制御の簡略化の観点から好適である。ただし、複数の周波数帯域が連続する周波数帯域であるなどの理由で、基地局装置２が一つの送信装置で複数の周波数帯域の送信を行なう構成であっても構わない。基地局装置２の送信装置によって制御される各周波数帯域の通信可能範囲はセルとしてみなされ、空間的に同一のエリアに存在する。このとき、各周波数帯域がカバーするエリア（セル）はそれぞれ異なる広さ、異なる形状であっても良い。また、移動局装置１は受信器１４〜１７（及び図示しない送信器）を用いて基地局装置２と通信を行うことが制御の簡略化の観点から好適であるが、一つの受信装置で複数の周波数帯域の受信を行なう構成であっても構わない。上りリンクの通信についても同様の構成が可能である。
【００４３】
ただし、後述する記載において、基地局装置２が形成するコンポーネントキャリアの周波数でカバーされるエリアのことをそれぞれセルと称して説明するが、これは実際に運用される通信システムにおけるセルの定義とは異なる可能性があることに注意する。例えば、ある通信システムでは、キャリア・アグリゲーションによって用いられるコンポーネントキャリアの一部のことを、セルではなく単なる追加の無線リソースと定義するかもしれない。本発明でコンポーネントキャリアをセルと称することで、実際に運用される通信システムにおけるセルの定義と異なる場合が発生したとしても、本発明の主旨には影響しない。なお、移動局装置１は、図示するようにリレー局装置（またはリピータ）を介して基地局装置２と無線接続されても良い。
【００４４】
また、図７は本発明の実施形態に係る無線通信構成の一例を示す図である。図７において、移動局装置１に対して割り当てられる周波数ｆ１、ｆ２のセルと周波数ｆ３、ｆ４のセルは送受信タイミングが異なることが想定される。そのため、基地局装置２および移動局装置１は、周波数ｆ１、ｆ２のセルを一つのセルグループ、周波数ｆ３、ｆ４のセルをもう一つのセルグループとして管理する。ここでは２つのセルグループとして管理する例を示したが、もちろん３つ以上のセルグループとして管理してもよい。
【００４５】
（３）ランダムアクセス手順
ランダムアクセス手順には、競合ベースランダムアクセス（Ｃｏｎｔｅｎｔｉｏｎ  ｂａｓｅｄ  Ｒａｎｄｏｍ  Ａｃｃｅｓｓ）と非競合ベースランダムアクセス（Ｎｏｎ−Ｃｏｎｔｅｎｔｉｏｎ  ｂａｓｅｄ  Ｒａｎｄｏｍ  Ａｃｃｅｓｓ）の２つのアクセス手順がある。
【００４６】
競合ベースランダムアクセスは、移動局装置間で衝突する可能性のあるランダムアクセス手順であり、基地局装置と接続（通信）していない状態からの初期アクセス時や、基地局装置と接続中であるが上りリンク同期が調整されていない状態で移動局装置に上りリンクデータ送信が発生した場合のスケジューリングリクエストなどに行われる。
【００４７】
また、非競合ベースランダムアクセスは、移動局装置間で衝突が発生しないランダムアクセス手順であり、基地局装置と移動局装置が接続中であるが上りリンクの同期が調整されていない場合に、迅速に移動局装置と基地局装置との間の上りリンク同期をとるために用いられ、主にハンドオーバや移動局装置の送信タイミングが有効でない場合等の特別な場合に基地局装置から指示されて移動局装置がランダムアクセス手順を開始する（非特許文献１）。非競合ベースランダムアクセスは、ＲＲＣ層のメッセージまたは下りリンク制御チャネルＰＤＣＣＨの制御データにより指示される。
【００４８】
図８を用いて、従来のＡｄｖａｎｃｅｄ  ＥＵＴＲＡにおけるキャリア・アグリゲーション時の下りリンク制御チャネルＰＤＣＣＨを用いた非競合ベースランダムアクセス手順を説明する。まず、基地局装置は、ランダムアクセス手順に必要な情報を下りリンク制御情報（ＤＣＩ：Ｄｏｗｎｌｉｎｋ  Ｃｏｎｔｒｏｌ  Ｉｎｆｏｒｍａｔｉｏｎ）として、プライマリセルの下りリンク制御チャネルＰＤＣＣＨを用いて、移動局装置に通知する（メッセージ０、ステップＳ８１）。ランダムアクセス手順のためのＤＣＩは既定のフォーマット（Ｆｏｒｍａｔ１Ａ）で通知され、ランダムアクセスプリアンブル送信リソース割り当て情報（ＰＲＡＣＨ  Ｍａｓｋ  Ｉｎｄｅｘ）およびプリアンブル番号（Ｐｒｅａｍｂｌｅ  Ｉｎｄｅｘ）が含まれる。
【００４９】
自局宛の前記ＤＣＩが含まれるＰＤＣＣＨを受信した移動局装置は、指定されたプリアンブル番号に対応するランダムアクセスプリアンブルをプライマリセルに割り当てられた上りリンクリソースを用いて送信する（メッセージ１、ステップＳ８２）。
【００５０】
基地局装置は、移動局装置からのランダムアクセスプリアンブルを検出すると、ランダムアクセスプリアンブルから移動局装置と基地局装置との間の送信タイミングのずれ量を算出し、下りリンク制御チャネルＰＤＣＣＨに前記ランダムアクセスプリアンブルを送信した移動局装置宛の応答（ランダムアクセスレスポンス）を示すためのランダムアクセスレスポンス識別情報（ＲＡ−ＲＮＴＩ：Ｒａｎｄｏｍ  Ａｃｃｅｓｓ−Ｒａｄｉｏ  Ｎｅｔｗｏｒｋ  Ｔｅｍｐｏｒａｒｙ  Ｉｄｅｎｔｉｔｙ）を配置し、下りリンク共用チャネルＰＤＳＣＨに、前記タイミングのずれ量に基づいた送信タイミング調整情報、スケジューリング情報、および受信したランダムアクセスプリアンブルの識別子情報を含んだランダムアクセスレスポンスメッセージを送信する（メッセージ２、ステップＳ８３）。
【００５１】
移動局装置は、下りリンク制御チャネルＰＤＣＣＨにＲＡ−ＲＮＴＩがあることを検出すると、下りリンク共用チャネルＰＤＳＣＨに配置されたランダムアクセスレスポンスメッセージの中身を確認し、送信したランダムアクセスプリアンブルの情報が含まれている場合、ランダムアクセスレスポンスメッセージに含まれる送信タイミング調整情報から上りリンクの送信タイミングを調整する。移動局装置は、送信タイミング調整情報を受信した場合に、受信した送信タイミング調整情報が有効である場合は送信タイミングタイマーをスタート（あるいは再始動）する。なお、この送信タイミングタイマーが満了すると調整した送信タイミングは無効となる。送信タイミングが有効の間、移動局装置は、基地局装置へのデータ送信が可能であり、送信タイミングが無効の場合、ランダムアクセスプリアンブルの送信のみが可能である。また、送信タイミング調整情報が有効な期間を上りリンク同期状態と言い、送信タイミングが有効でない期間を上りリンク非同期状態とも言う。
【００５２】
ランダムアクセス手順完了以降の上りリンクの送信タイミングの更新は、例えば、基地局装置が移動局装置から送信される上りリンク参照信号（測定用参照信号、または、復調用参照信号）を測定して、送信タイミング調整情報を算出し、算出した送信タイミング調整情報含む送信タイミングメッセージを移動局装置に通知することで行なわれる。移動局装置は、基地局装置から通知された送信タイミング調整情報から上りリンクの送信タイミングを調整すると送信タイミングタイマーを再始動する。なお、基地局装置も移動局装置と同じ送信タイミングタイマーを保持しており、送信タイミングメッセージを送信した場合に送信タイミングタイマーをスタート、または、再始動する。このようにすることで、基地局装置と移動局装置で上りリンク同期状態を管理する。送信タイミングタイマーが満了すると調整した送信タイミングは無効となり、移動局装置は、ランダムアクセスプリアンブルの送信以外の上りリンク送信を停止する。
【００５３】
以上の事項を考慮しつつ、以下、添付図面に基づき、本発明の好適な実施形態について詳細に説明する。なお、本発明の説明において、本発明に関連した公知の機能や構成についての具体的な説明が、本発明の要旨を不明瞭にすると判定される場合には、その詳細な説明を省略する。
【００５４】
＜第１の実施形態＞
本発明の第１の実施形態について以下に説明する。
【００５５】
図１は、本発明の実施形態に係る移動局装置１の一例を示すブロック図である。本移動局装置１は、受信部１０１、復調部１０２、復号部１０３、測定処理部１０４、制御部１０５、ランダムアクセス処理部１０６、符号部１０７、変調部１０８、送信部１０９、上位レイヤ１１０、無線送信設定部１１１から構成される。
【００５６】
受信に先立ち、上位レイヤ１１０は、移動局装置制御情報を制御部１０５に出力する。制御部１０５は、受信に関する移動局装置制御情報を受信制御情報として、受信部１０１、復調部１０２、復号部１０３へ適切に出力する。受信制御情報は、受信スケジュール情報として、復調情報、復号化情報、受信周波数帯域の情報、各チャネルに関する受信タイミング、多重方法、無線リソース配置情報などの情報が含まれている。
【００５７】
受信部１０１は、受信制御情報で通知された周波数帯域で、図示しない一つ以上の受信器を通じて、後述する基地局装置２から信号を受信し、受信した信号をベースバンドのデジタル信号に変換して、復調部１０２へ出力する。復調部１０２は、受信信号を復調して復号部１０３へ出力する。復号部１０３は、受信制御情報に基づき復調された信号を正しく復号し、下りリンクトラフィックデータと下りリンク制御データに適切に分離し、それぞれ上位レイヤ１１０へ出力する。上位レイヤ１１０は、下りリンク制御データにコンポーネントキャリアの追加、修正または解放などの情報や、割り当てられたコンポーネントキャリア（あるいは上りリンクと下りリンクのコンポーネントキャリアを合わせたセル）の活性化／不活性化情報が含まれる場合はコンポーネントキャリア管理部１０４に当該情報を通知し、コンポーネントキャリア管理部１０４は、通知された内容に基づき、自局に既に割り当てられたセカンダリセル番号のコンポーネントキャリア（セル）のパラメータ修正や解放を行ったり、あるいは新たなセカンダリセル番号のコンポーネントキャリア（セル）のパラメータを記憶したり、各セカンダリセルの活性／不活性状態の記憶を行ったりする。また、割り当てられた複数のセカンダリセルが異なる送受信タイミングを持つ場合には、同一の送受信タイミングとなる１つ以上のセルによって構成されるセルグループの情報を記憶する。前記セルグループの情報には、セルグループ毎の送受信タイミング、送信タイミングタイマー計時状況などの情報が含まれる。なお、コンポーネントキャリアの活性化／不活性化情報は、上位レイヤ１１０を介さずに復号部１０３からコンポーネントキャリア管理部１０４に通知されてもよい。
【００５８】
また、送信に先立ち、上位レイヤ１１０は、制御部１０５へ移動局装置制御情報を出力する。制御部１０５は、送信に関する移動局装置制御情報を送信制御情報として、ランダムアクセス処理部１０６、符号部１０７、変調部１０８、送信部１０９へ適切に出力する。送信制御情報は、送信信号の上りリンクスケジューリング情報として、符号化情報、変調情報、送信周波数帯域の情報、各チャネルに関する送信タイミング、多重方法、無線リソース配置情報などの情報が含まれている。
【００５９】
上位レイヤ３１０は、符号部１０７へ上りリンクトラフィックデータと上りリンク制御データを上りリンクチャネルに応じて適切に出力する。符号部１０７は送信制御情報に従い、各データを適切に符号化し、変調部１０８に出力する。変調部１０８は、符号部１０７で符号化された信号の変調を行なう。また、変調部１０８は、変調された信号に対して下りリンクリファレンスシグナルを多重し、周波数バンドにマッピングする。
【００６０】
送信部１０９は、変調部１０８から出力された周波数バンドの信号を時間領域の信号へ変換し、変換した信号を既定の周波数の搬送波にのせて電力増幅を行なうと共に図示しない１つ以上の送信器から送信する。
【００６１】
また、復号部１０３で復号した信号に、ハンドオーバ前の送信タイミングをハンドオーバ後にも適用するセルグループを示す情報が含まれていた場合、前記情報は上位レイヤ１１０を通じて（あるいは復号部１０３から直接）コンポーネントキャリア管理部１０４およびランダムアクセス処理部１０６に通知される。ランダムアクセス処理部１０６は、通知された情報と、コンポーネントキャリア管理部１０４から取得した各コンポーネントキャリア情報に基づき、ハンドオーバ後のランダムアクセス手順の要否を判断する。
【００６２】
また、ハンドオーバ後、コンポーネントキャリア管理部１０４は、ハンドオーバ前の送信タイミングを適用するセルグループに対して、活性状態とする処理を行う。また、前記セルグループに属するセルにおいては、送信タイミングタイマーが計時中であれば、ランダムアクセス手順を行わずに上りリンク送信を行うことが可能である。あるいは、ハンドオーバ後は不活性状態としつつ、送信タイミングタイマーの計時を継続してもよい。後者の場合、基地局装置２から前記セルグループの活性化を指示する信号を復調部１０３で復調した場合に、該当するセルを活性状態にする処理を行い、活性状態となったセルに対してはランダムアクセス手順を行わずに上りリンク送信を行う。前記送信タイミングタイマーは、移動局装置に対して１つのみが用意されていても、セルグループ毎に用意されていてもよい。
【００６３】
上りリンク制御データが配置される上りリンク共用チャネルは、典型的にはレイヤ３メッセージ（無線リソース制御メッセージ；ＲＲＣメッセージ）を構成する。移動局装置１のＲＲＣ部は上位レイヤ１１０の一部として存在する。また、ランダムアクセス処理部１０６は、移動局装置１のデータリンク層を管理するＭＡＣ（Ｍｅｄｉｕｍ  Ａｃｃｅｓｓ  Ｃｏｎｔｒｏｌ）の一部として存在する。図１において、その他の移動局装置１の構成要素は本実施形態に関係ないため省略してある。
【００６４】
図２は、本発明の実施形態による基地局装置２の一例を示すブロック図である。本基地局装置２は、受信部２０１、復調部２０２、復号部２０３、制御部２０４、符号部２０５、変調部２０６、送信部２０７、ネットワーク信号処理部２０８、上位レイヤ２０９から構成される。
【００６５】
上位レイヤ２０９は、下りリンクトラフィックデータと下りリンク制御データを符号部２０５へ出力する。符号部２０５は、入力された各データを符号化し、変調部２０６へ出力する。変調部２０６は、符号化された信号の変調を行なう。また、変調部２０６は、変調された信号に対して下りリンクリファレンスシグナルを多重し、周波数バンドにマッピングする。送信部２０７は、変調部２０６から出力された周波数バンドの信号を時間領域の信号へ変換し、変換した信号を図示しない１つ以上の送信器から既定の周波数の搬送波にのせて電力増幅を行なうと共に送信する。下りリンク制御データが配置される下りリンク共用チャネルは、典型的にはレイヤ３メッセージ（ＲＲＣメッセージ）を構成する。
【００６６】
また、受信部２０１は、受信制御情報で通知された周波数帯域で、図示しない一つ以上の受信器を通じて、移動局装置１から信号を受信し、受信した信号をベースバンドのデジタル信号に変換して、復調部２０２へ出力する。復調部２０２はデジタル信号を復調し、復号部２０３へ出力する。復号部２０３は、復調された信号を復号し、上りリンクトラフィックデータと上りリンク制御データに適切に分離し、それぞれ上位レイヤ２０９へ出力する。
【００６７】
上位レイヤ２０９は、これら各ブロックの制御に必要な基地局装置制御情報を制御部２０４へ出力する。制御部２０４は、送信に関連する基地局装置制御情報は送信制御情報として、符号部２０５、変調部２０６、送信部２０７の各ブロックに、受信に関連する基地局装置制御情報は受信制御情報として、受信部２０１、復調部２０２、復号部２０３の各ブロックに適切に出力する。
【００６８】
一方、ネットワーク信号処理部２０８は、複数の基地局装置２間（または制御局装置（ＭＭＥ）、ゲートウェイ装置（Ｇａｔｅｗａｙ）、ＭＣＥ）と基地局装置２との間の制御メッセージの送信または受信を行う。制御メッセージはネットワーク回線を経由して送受信される。制御メッセージは、Ｓ１インターフェースやＸ２インターフェースやＭ１インターフェースやＭ２インターフェースと呼ばれる論理インターフェース上でやり取りされる。
【００６９】
また、基地局装置２のＲＲＣ部は、上位レイヤ２０９の一部として存在する。図２において、その他の基地局装置２の構成要素は本実施形態に関係ないため省略してある。
【００７０】
続いて、本実施形態の通信システムにおけるハンドオーバ手順について、図３を用いて説明を行なう。なお、本実施形態では移動局装置１がハンドオーバによりハンドオーバ前の基地局装置（Ｓｏｕｒｃｅ  ｅＮＢ）とハンドオーバ後の基地局装置（Ｔａｒｇｅｔ  ｅＮＢ）が異なる場合のセルに移る例を説明するが、これに限らず、同一基地局装置内のセル間の移動、特にプライマリセルの変更に適用することができる。
【００７１】
図３において、まず第１の基地局装置は、第２の基地局装置に対して移動局装置のハンドオーバ要求メッセージ（ＨＡＮＤＯＶＥＲ  ＲＥＱＵＥＳＴ）を通知する（ステップＳ３１）。前記ハンドオーバ要求メッセージには、移動局装置の通信能力に関する情報やネットワークリソースの割り当て情報、無線リソースの割り当て情報（セカンダリセルの割り当て情報など）が含まれる。ステップＳ３１によってハンドオーバ要求メッセージを受け取った第２の基地局装置は、ハンドオーバを承認する場合、第１の基地局装置に対してハンドオーバ要求承認メッセージ（ＨＡＮＤＯＶＥＲ  ＲＥＱＵＥＳＴ  ＡＣＫ）を通知する（ステップＳ３２）。ハンドオーバ要求承認メッセージには、（変更の必要がある場合）セカンダリセルの割り当て情報と前記セルのセルグループ情報、前記セルグループに対するハンドオーバ後の送信タイミング設定についての情報が含まれる。前記ハンドオーバ要求承認メッセージを受け取った第１の基地局装置は移動局装置に対して、前記送信タイミング設定についての情報を含むＲＲＣ接続再設定メッセージ（ＲＲＣＣｏｎｆｉｇｕｒａｔｉｏｎＲｅｃｏｎｆｉｇｕｒａｔｉｏｎ）を通知し、ハンドオーバを移動局装置に指示する（ステップＳ３３）。
【００７２】
前記ＲＲＣ接続再設定メッセージを受け取った移動局装置は、前記メッセージに含まれる送信タイミング設定についての情報に基づいて、ハンドオーバ先のセルの同期状態を設定する（ステップＳ３４）。移動局装置は、ハンドオーバ後のプライマリセルが属するセルグループの送信タイミングがハンドオーバ前の同セルグループの送信タイミングを適用するように指示されているかを判断する。プライマリセルがハンドオーバ前の送信タイミングを適用するように指示されたセルグループのセルでない場合、移動局装置は、従来と同様、ハンドオーバ先のプライマリセルに対して非競合ベースランダムアクセスを行い（ステップＳ３５）、ハンドオーバ先のセルへの接続が成功すると、接続が成功したセルにおいて、ＲＲＣ接続再設定完了メッセージ（ＲＲＣＣｏｎｆｉｇｕｒａｔｉｏｎＲｅｃｏｎｆｉｇｕｒａｔｉｏｎＣｏｍｐｌｅｔｅ）を通知する（ステップＳ３６）。ＲＲＣ接続再設定完了メッセージを受け取った第２の基地局装置は第１の基地局装置に対してハンドオーバ完了（ＨＡＮＤＯＶＥＲ  ＣＯＭＰＬＥＴＥ）を通知する（ステップＳ３７）。ここで、ステップＳ３４において、ハンドオーバ後のプライマリセルが属するセルグループの送信タイミングがハンドオーバ前の前記セルグループの送信タイミングを適用するように指示されたセルグループのセルである場合、移動局装置は、ステップＳ３５のランダムアクセス処理を行わず、ステップＳ３６のＲＲＣ接続再設定完了メッセージ通知を行う。ただし、移動局装置にＲＲＣ接続再設定完了メッセージ通知のための上りリンクリソースの割り当てがない場合には、ランダムアクセス手順により、上りリンクリソース割り当て要求を行う必要がある。
【００７３】
また、ステップＳ３４において、移動局装置は、前記送信タイミング設定についての情報に基づいて、プライマリセルの属するセルグループ以外のセルグループに対しても、ハンドオーバ前の送信タイミングをハンドオーバ後も適用するように指示されたセルグループでは、当該セルグループのセルは活性状態あるいはハンドオーバ前のセル状態（活性状態か不活性状態）を維持し、ハンドオーバ前の送信タイミングをハンドオーバ後も適用するように指示されなかったセルグループでは、当該セルグループのセルはハンドオーバ後、従来と同様不活性状態とする。
【００７４】
第２の基地局装置は、ハンドオーバ完了後、移動局装置のセル状態およびセル同期状態に基づき、移動局装置に対するリソースの割り当てを行う。すなわち、ハンドオーバ前の送信タイミングをハンドオーバ後も適用するように指示したセルグループのセルに対して移動局装置へのリソースを割り当てる際には、セルが活性状態であれば通常の割り当てを行い、セルが不活性状態であれば活性化を指示し、ランダムアクセス手順を実行させることなく上りリンクリソースの割り当てを行うようにする。
【００７５】
あるいは、ハンドオーバ後はプライマリセル以外のセルは不活性状態に遷移させつつ、ハンドオーバ前の送信タイミングをハンドオーバ後も適用するように指示されたセルグループのセルに対しては、送信タイミングタイマーの計時を継続するようにしてもよい。この場合、移動局装置は、ハンドオーバ前の送信タイミングをハンドオーバ後も適用するように指示されたセルグループのセルを活性化するメッセージを基地局装置から受信したときに、当該セルを活性状態とし、ランダムアクセス手順を行うことなく上りリンク送信が行える。
【００７６】
上述のように、移動局装置は、ハンドオーバの際に、ハンドオーバ前の送信タイミングをハンドオーバ後も適用するか否かのセルグループ毎の情報を受け取ることで、前記情報に基づきハンドオーバ後のセル状態（活性状態か不活性状態）およびセル同期状態（ランダムアクセス手順の必要性の有無）を設定でき、基地局装置も前記情報に基づき当該移動局装置に対するリソースの割り当て、ランダムアクセス手順指示の必要性の有無を判断することができるため、不必要な活性化指示やランダムアクセス手順などを省くことができ、効率的なリソース利用、同期状態の管理が可能となる。
【００７７】
本実施形態において、前記ハンドオーバ前の送信タイミングをハンドオーバ後も適用するか否かのセルグループ毎の情報は、送信タイミングタイマーの計時を継続するか否かの情報としてもよいし、ランダムアクセス手順を必要とするか否かの情報としてもよい。また、前記情報はセル毎あるいはセルグループ毎に１ビットの情報としてＲＲＣ接続再設定メッセージに含めることが考えられる。
【００７８】
さらに、本実施形態ではステップＳ３３において、ＲＲＣ接続再設定メッセージにＭＣＩ（Ｍｏｂｉｉｌｔｙ  Ｃｏｎｔｒｏｌ  Ｉｎｆｏ）が含まれる場合を想定しているが、ＭＣＩが含まれない場合（ハンドオーバではなくセルのパラメータ変更によるプライマリセル変更である場合）に適用することも可能である。例えば、ハンドオーバ前の送信タイミングをハンドオーバ後も適用するように指示されたセルグループのセルへのプライマリセル変更である場合、あるいは送信タイミングタイマー計時中のセカンダリセルをプライマリセルとする場合に、移動局装置が、ステップＳ３５のランダムアクセス処理を行わず、ステップＳ３６のＲＲＣ接続再設定完了メッセージ通知を行うようにすればよい。
【００７９】
＜第２の実施形態＞
本発明の第２の実施形態について以下に説明する。
【００８０】
本実施形態に用いる移動局装置１と基地局装置２の構成は、第１の実施形態における、図１と図２とそれぞれ同じ構成で良いため説明を省略する。
【００８１】
第１の実施形態では、ハンドオーバ前の送信タイミングをハンドオーバ後も適用するセルグループの情報が第１の基地局装置から通知される例を示したが、本実施形態では、ハンドオーバ後に活性状態とするセルあるいはセルグループが通知される例を示す。すなわち、本実施形態では、移動局装置１の復号部１０３で復号した信号にハンドオーバ後に活性状態とするセルあるいはセルグループの情報が含まれていた場合、前記情報は上位レイヤ１１０を通じて（あるいは復号部１０３から直接）コンポーネントキャリア管理部１０４に通知される。ハンドオーバ後、ランダムアクセス処理部１０６は、コンポーネントキャリア管理部１０４から取得した各セルの状態に基づき、ハンドオーバ前の送信タイミングをハンドオーバ後も適用するか否かを判断する。
【００８２】
本実施形態の通信システムにおけるハンドオーバ手順について、図４を用いて説明を行う。なお、本実施形態ではハンドオーバ元の基地局装置（Ｓｏｕｒｃｅ  ｅＮＢ）とハンドオーバ先の基地局装置（Ｔａｒｇｅｔ  ｅＮＢ）が同一の場合の例（プライマリセルの変更時の動作に好適な例）を説明するが、これに限らず、異なる基地局装置間のセル間の移動に適用することができる。
【００８３】
図４において、基地局装置は、移動局装置に対してハンドオーバ後のセル状態を示す情報を含むＲＲＣ接続再設定メッセージ（ＲＲＣＣｏｎｆｉｇｕｒａｔｉｏｎＲｅｃｏｎｆｉｇｕｒａｔｉｏｎ）を通知し、ハンドオーバを移動局装置に指示する（ステップＳ４１）。
【００８４】
前記ＲＲＣ接続再設定メッセージを受け取った移動局装置は、前記メッセージに含まれるハンドオーバ後のセル状態を示す情報に基づいて、ハンドオーバ先のセルおよび当該セルのセル状態を設定する（ステップＳ４２）。移動局装置は、ハンドオーバ先のプライマリセルあるいはプライマリセルの属するセルグループが、前記情報によって活性状態とされているかを判断する。ハンドオーバ先のプライマリセルがあるいはプライマリセルが属するセルグループが不活性状態とされている場合、移動局装置は、従来と同様、ハンドオーバ先のプライマリセルに対して非競合ベースランダムアクセスを行い（ステップＳ４３）、ハンドオーバ先のセルへの接続が成功すると、接続が成功したセルにおいて、ＲＲＣ接続再設定完了メッセージ（ＲＲＣＣｏｎｆｉｇｕｒａｔｉｏｎＲｅｃｏｎｆｉｇｕｒａｔｉｏｎＣｏｍｐｌｅｔｅ）を通知する（ステップＳ４４）。ここで、ステップＳ４２において、ハンドオーバ先のプライマリセルあるいはプライマリセルの属するセルグループが活性状態とされている場合、移動局装置は、前記プライマリセルが属するセルグループに対するハンドオーバ前の送信タイミングをハンドオーバ後も適用し、ステップＳ４３のランダムアクセス処理を行わず、ステップＳ４４のＲＲＣ接続再設定完了メッセージ通知を行う。ただし、移動局装置にＲＲＣ接続再設定完了メッセージ通知のための上りリンクリソースの割り当てがない場合には、ランダムアクセス手順により、上りリンクリソース割り当て要求を行う必要がある。
【００８５】
また、ステップＳ４２において、移動局装置は、ＲＲＣ接続再設定メッセージで通知されたハンドオーバ後のセル状態（活性状態か不活性状態）についての情報に基づいて、プライマリセル以外のセルやセルグループに対してもセル状態を設定する。また、移動局装置は、前記情報により活性状態に設定したセルあるいはセルグループに対して、ハンドオーバ前の送信タイミングをハンドオーバ後も適用するように設定し、不活性状態に設定したセルあるいはセルグループに対してはハンドオーバ前の送信タイミングをハンドオーバ後に適用しないように設定する。
【００８６】
基地局装置は、ハンドオーバ完了後、移動局装置に設定したセル状態に基づき、移動局装置に対するリソースの割り当てを行う。すなわち、活性状態を指示したセルあるいはセルグループに対して移動局装置のリソースを割り当てる際には、ランダムアクセス手順を実行させることなくリソースの割り当てを行うようにする。
【００８７】
上述のように、移動局装置は、ハンドオーバの際に、ハンドオーバ後のセル状態の設定情報を受け取ることで、前記情報に基づきハンドオーバ後のセル状態およびセル同期状態（ランダムアクセス手順の必要性の有無）を設定でき、基地局装置も前記情報に基づき当該移動局装置に対するリソースの割り当て、ランダムアクセス手順指示の必要性の有無を判断することができるため、不必要な活性化指示やランダムアクセス手順などを省くことができ、効率的なリソース利用、同期状態の管理が可能となる。
【００８８】
本実施形態において、前記ハンドオーバ後のセル状態の設定情報は、セル毎あるいはセルグループ毎に１ビットの情報としてＲＲＣ接続再設定メッセージに含めることが考えられる。
【００８９】
さらに、本実施形態ではステップＳ４１において、ＲＲＣ接続再設定メッセージにＭＣＩが含まれる場合を想定しているが、ＭＣＩが含まれない場合（ハンドオーバではなくセルのパラメータ変更によるプライマリセル変更である場合）に適用することも可能である。例えば、活性状態を指示されたセルあるいはセルグループ内のセルへのプライマリセル変更である場合、移動局装置が、ステップＳ４３のランダムアクセス処理を行わず、ステップＳ４４のＲＲＣ接続再設定完了メッセージ通知を行うようにすればよい。
【００９０】
＜第３の実施形態＞
本発明の第３の実施形態について以下に説明する。
【００９１】
本実施形態に用いる移動局装置１と基地局装置２の構成は、第１の実施形態における、図１と図２とそれぞれ同じ構成で良いため説明を省略する。
【００９２】
第１の実施形態では、ハンドオーバ前の送信タイミングをハンドオーバ後も適用するセルグループの情報が第１の基地局装置から通知される例を示したが、本実施形態では、ハンドオーバ時に、ハンドオーバ前の送信タイミングをハンドオーバ後も適用するセルグループのセルのみが移動局装置に割り当てられる例を示す。すなわち、本実施形態では、移動局装置１の復号部１０３で復号した信号にハンドオーバ後のセル割り当て情報が含まれていた場合、前記情報は上位レイヤ１１０を通じて（あるいは復号部１０３から直接）コンポーネントキャリア管理部１０４に通知される。ハンドオーバ後、ランダムアクセス処理部１０６は、コンポーネントキャリア管理部１０４から取得したすべてのセルに対して、ハンドオーバ前の送信タイミングをハンドオーバ後も適用する。
【００９３】
本実施形態の通信システムにおけるハンドオーバ手順について、図５を用いて説明を行なう。なお、本実施形態ではハンドオーバ元の基地局装置（Ｓｏｕｒｃｅ  ｅＮＢ）とハンドオーバ先の基地局装置（Ｔａｒｇｅｔ  ｅＮＢ）が同一の場合の例（プライマリセルの変更時の動作に好適な例）を説明するが、これに限らず、異なる基地局装置間のセル間の移動に適用することができる。
【００９４】
図５において、基地局装置は、移動局装置に対してハンドオーバ後にハンドオーバ前の送信タイミングを適用するセルグループのみを割り当てる情報を含むＲＲＣ接続再設定メッセージ（ＲＲＣＣｏｎｆｉｇｕｒａｔｉｏｎＲｅｃｏｎｆｉｇｕｒａｔｉｏｎ）を通知し、ハンドオーバを移動局装置に指示する（ステップＳ５１）。
【００９５】
前記ＲＲＣ接続再設定メッセージを受け取った移動局装置は、前記メッセージに含まれるセルの割り当て情報に基づいて、ハンドオーバ先のセルおよびセル状態を設定する（ステップＳ５２）。移動局装置は、すべてのセルグループに対して各セルグループのハンドオーバ前の送信タイミングをハンドオーバ後も適用し、ランダムアクセス処理を行わず、接続したハンドオーバ先のセルおいて、ＲＲＣ接続再設定完了メッセージ（ＲＲＣＣｏｎｆｉｇｕｒａｔｉｏｎＲｅｃｏｎｆｉｇｕｒａｔｉｏｎＣｏｍｐｌｅｔｅ）を通知する（ステップＳ５３）。
【００９６】
ハンドオーバ時、移動局装置は割り当てられたセルグループすべてにおいてハンドオーバ前の送信タイミングをハンドオーバ後も適用する。このとき、移動局装置は、ハンドオーバ後にすべてのセカンダリセルを従来のように不活性状態に遷移させてもよく、活性状態を維持するようにしてもよい。また、基地局装置はセル状態およびセルの同期状態に基づき、移動局装置に対してリソースの割り当てを行う。すなわち、ハンドオーバ時に移動局装置に割り当てたセルに対してリソースを割り当てる場合、前記セルに対しては、ハンドオーバ前の送信タイミングをハンドオーバ後も適用しているため、ランダムアクセス手順を行わずに上りリンク送信を行うことができる。また、ランダムアクセス手順の実行が必要なセルあるいはセルグループはハンドオーバ後にＲＲＣ接続再設定メッセージによって割り当てを行うようにする。すなわち、ハンドオーバ時に割り当てられたセルグループに属さないセルがハンドオーバ後に割り当てられる場合、上りリンク送信を行うためには、ランダムアクセス手順を行い、送信タイミングを調整する必要がある。
【００９７】
上述のように、移動局装置は、ハンドオーバの際に、ハンドオーバ後にハンドオーバ前の送信タイミングを適用できるセルグループのセルのみが割り当てられることで、送信タイミングの設定に関して複雑な処理を行う必要がなくなり、効率的なリソース利用、同期状態の管理が可能となる。
【００９８】
なお、以上説明した実施形態は単なる例示に過ぎず、様々な変形例、置換例を用いて実現することができる。
【００９９】
また、上記実施形態ではＲＲＣ接続再設定メッセージにＭＣＩを含む場合と含まない場合で同様の処理を行うことができることを述べたが、これに限らずＭＣＩを含む場合は従来のハンドオーバを行い、ＭＣＩを含まない場合にのみ本願技術の処理を行うようにしてもよい。この場合、ＲＲＣ接続再設定メッセージに送信タイミング設定に関する情報を明示的に含めず、ハンドオーバ前に同期状態であるセルグループはハンドオーバ後も同じ送信タイミングであると暗に設定してもよい。
【０１００】
また、説明の便宜上、実施形態の移動局装置及び基地局装置を機能的なブロック図を用いて説明したが、移動局装置及び基地局装置の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。なお、ここでいう「コンピュータシステム」とは、ＯＳや周辺機器等のハードウェアを含むものとする。
【０１０１】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１０２】
また、上記各実施形態に用いた移動局装置および基地局装置の各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１０３】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１０４】
１…移動局装置
２…基地局装置
１４〜１７…受信器
２１〜２４…送信器
１０１、２０１…受信部
１０２、２０２…復調部
１０３、２０３…復号部
１０４…コンポーネントキャリア管理部
１０５、２０４…制御部
１０６…ランダムアクセス処理部
１０７、２０５…符号部
１０８、２０６…変調部
１０９、２０７…送信部
１１０、２０９…上位レイヤ
２０８…ネットワーク信号処理部
【図１】
0005960781.tif 000002
【図２】
0005960781.tif 000003
【図３】
0005960781.tif 000004
【図４】
0005960781.tif 000005
【図５】
0005960781.tif 000006
【図６】
0005960781.tif 000007
【図７】
0005960781.tif 000008
【図８】
0005960781.tif 000009